(57)【特許請求の範囲】
【請求項１】
船積みされた自動車の情報をその船積み位置情報と共に入力して自動車の数を集計して表示するために、記憶装置と入力装置と表示装置を備えた可搬型コンピュータ装置であって、
前記記憶装置は、船積みされる自動車の大きさを含む情報及び自動車が船積みされる船のデッキの平面図を含む情報を記憶するものであり、
前記入力装置は、船積みされた自動車の船積み位置情報を、前記表示装置上にある縮尺で表示された前記デッキの平面図上の対応箇所にペン入力するものであり、
前記表示装置は、入力された自動車の船積み位置情報を、前記表示装置上に前記縮尺で表示された前記デッキの平面図上の対応箇所に、大略前記縮尺で表示された自動車の前端向きを示すマークで表示するものであり、
前記可搬型コンピュータ装置は、前記入力された自動車の数を集計してその結果を前記表示装置に表示する、
ことを特徴とする可搬型コンピュータ装置。
【請求項２】
前記集計が、船積みされた自動車を、デッキ、ハッチ、仕向け地、又は、モデル毎に集計した結果を表示することを特徴とする請求項１に記載の可搬型コンピュータ装置。
【請求項３】
前記記憶装置が、情報を他のコンピュータ装置と受け渡しするために、取外し可能であることを特徴とする請求項２に記載の可搬型コンピュータ装置。
【発明の詳細な説明】
【０００１】
【発明の属する技術分野】
本発明は、自動車の船積み際の検数作業に使用するのに好適な自動車の船積み情報の入力用の可搬型コンピュータ装置に関する。
【０００２】
【従来の技術】
検数作業とは、船積みされる貨物の種類、個数、量、及びその積み付け位置を確認して記録する作業を言い、物流を円滑にするために正確且つ迅速に行なう必要がある。特に、自動車を自動車専用の運搬船に船積みする際の検数作業は、船積みされる自動車の台数とそのモデル（種類）数、仕向地数が多く、さらに自動車の船積みは一台、一台と人が運転して行ない、運搬船の船積みデッキ数と出入り口のハッチ数が多く多忙である。また、１つの運搬船が複数の港において船積み作業を行なう場合もある。
従来の検数作業は、船積みされる自動車の積み付け情報を係員が紙上に記入して、集計するという手作業の方法で行なっていた。
【０００３】
【発明が解決しようとする課題】
このように従来では船積みされる自動車の積み付け情報は、手作業で紙上で記入しているため、集計に時間を要し、迅速性の点でも正確性の点でも改良の余地がある。特に船の出航直前になると検数作業は繁忙を極め、迅速性と正確性の両者を満たす条件が一層に厳しくなる。また、コンピュータに積み付け情報を入力して、その後の印刷、変更、陸揚げ作業等の他のシステムと連携可能に対応させるために情報化するには、別途の入力作業の労力及び時間を必要とする。
【０００４】
本発明は、上記の従来方法の問題点を解決することを目的とし、自動車の船積みの際の検数作業の情報化に好適な自動車の船積み情報の入力用の可搬型コンピュータ装置を提供する。
【０００５】
【課題を解決するための手段】
本発明の請求項１は、船積みされた自動車の情報をその船積み位置情報と共に入力して自動車の数を集計して表示するために、記憶装置と入力装置と表示装置を備えた可搬型コンピュータ装置であって、前記記憶装置は、船積みされる自動車の大きさを含む情報及び自動車が船積みされる船のデッキの平面図を含む情報を記憶するものであり、前記入力装置は、船積みされた自動車の船積み位置情報を、前記表示装置上にある縮尺で表示された前記デッキの平面図上の対応箇所にペン入力するものであり、前記表示装置は、入力された自動車の船積み位置情報を、前記表示装置上に前記縮尺で表示された前記デッキの平面図上の対応箇所に、大略前記縮尺で表示された自動車の前端向きを示すマークで表示するものであり、前記可搬型コンピュータ装置は、前記入力された自動車の数を集計してその結果を前記表示装置に表示する、ことを特徴とする可搬型コンピュータ装置を提供する。
【０００６】
この請求項１に記載の可搬型コンピュータ装置によれば、船のデッキの平面図が表示された表示装置上の対応する箇所に、ペン入力により船積みされる各自動車の位置情報を入力するため、他の入力手段、例えば、キーボード等、による入力に比較して操作性に優れている。従って、入力を迅速に行うことができる。さらに、船のデッキの平面図が表示された表示装置上の対応する箇所に大略同縮尺でかつ自動車の前向きを示すマークで船積みされた自動車を表示するため、入力時の確認が視覚的に容易となる。従って，正確な入力を行うことができる。さらに、自動車の積み込み位置をデッキ上で容易に知ることができる。
【０００７】
本発明の請求項２は、請求項１による可搬型コンピュータ装置において、前記集計が、船積みされた自動車を、デッキ、ハッチ、仕向け地、又は、モデル毎に集計した結果を表示することを特徴とする可搬型コンピュータ装置が提供される。
【０００８】
この請求項２の記載の可搬型コンピュータ装置によれば、船積みされた自動車をデッキ、ハッチ、仕向け地、又はモデル毎に集計した結果を表示できる。このため、船積み情報の処理が容易である。
【０００９】
本発明の請求項３は、請求項２による可搬型コンピュータ装置において、前記記憶装置が、情報を他のコンピュータ装置と受け渡しするために、取外し可能であることを特徴とする請求項２に記載の可搬型コンピュータ装置が提供される。
【００１０】
この請求項３に記載の可搬型コンピュータ装置によれば、他のコンピュータ装置との情報の受け渡しを確実にすることができる。すなわち、各操作員が入力した複数の可搬型コンピュータ装置からの情報を１つの集計用のコンピュータ装置に収集して、船全体の情報を容易に集計すること、または、１つの集計用のコンピュータ装置から複数の可搬型コンピュータ装置へ必要な情報を分配することができる。
【００１１】
本発明の別の観点は、船積みされた自動車の数を集計する方法において、予め船積みされる自動車の情報を入力し、予め自動車が船積みされる船のデッキの情報を入力し、船積みの際に船積みされた各々の自動車の情報を船積みされた船のデッキの情報と関連させて入力し、及び船積みされた自動車の数を集計する、ことを特徴とする自動車の船積み集計方法を提供する。
【００１２】
この自動車の船積み集計方法によれば、予め船積みされる車の情報と船積みする船のデッキ情報を記憶しておき、船積みの際に船積みされる各々の車の情報を船積みされた船のデッキ情報と関連して入力し、そして船積みされた自動車の数を様々な情報に基づいて分類して集計することができるので、集計作業が迅速且つ容易となる。
【００１３】
本発明のさらに別の観点は、船積みされた自動車の数を集計する機能をコンピュータで実行するためのプログラムにおいて、コンピュータを、船積みされる自動車の情報を記憶する手段、自動車が船積みされる船のデッキの情報を記憶する手段、船積みされた各々の自動車の情報を船積みされた船のデッキの情報と関連させて入力する手段、及び船積みされた自動車の数を集計する手段、として機能させるためのプログラムを提供する。
【００１４】
この船積みされた自動車の数を集計する機能をコンピュータで実行するためのプログラムによれば、船積みされた自動車の分類集計作業をコンピュータ上で行なうことができ、検数作業の情報化に対応でき、迅速性と正確性に貢献できる。
【００１５】
【発明の実施の形態】
以下、添付図面を参照して本発明を１つの実施の形態について詳細に説明する。図１は、本発明の１つの実施の形態による自動車の船積み集計装置が使用されるシステム１の全体の概略を示す図である。１０は自動車の積み込み作業を行なう積港の事務所を示す。港の事務所１０には、本発明のデータベース及びプログラムを記憶するための図示しない記憶装置を有するサーバー・コンピュータ１１及びこのサーバ・コンピュータ１１にローカル・エリア・ネットワークで接続された作業用のクライアント・コンピュータ１２とが設けられている。サーバー・コンピュータ１１は、積み込み作業を行う他の積港の事務所２０に設けられた別のコンピュータ（図示しない）、船会社のコンピュータ（図示しない）、自動車メーカーのコンピュータ（図示しない）及び船２２上のコンピュータ１３等に、インターネット２１又は無線電話回線等を介して接続でき、データやプログラムの送受ができるようになっている。
【００１６】
２２は積港に停泊して自動車の積み込み作業が行なわれる自動車専用の運搬船を示す。自動車運搬船２２のタリー室２３と呼ばれる個所には、携帯用のノートブック型のパーソナル・コンピュータ１３と、このコンピュータ１３を港の事務所１０のサーバー・コンピュータ１１又はインターネット２１に接続するための携帯電話器等の無線通信装置１４と、このコンピュータ１３からの印刷出力を印刷するためのプリンタ１５とが設けられる。さらに、コンピュータ１３は、携帯電話器１４を介してサーバー・コンピュータ１１のデータベースにアクセスして必要な情報をダウンロードして記憶するため、及びその他の本発明に必要なデータとプログラムを記憶するための図示しない記憶装置を有する。また、コンピュータ１３は所定の大きさの画面サイズ、例えば、１０２４ｘ７６８、のコンピュータ画面を有し、必要な情報を表示する。
【００１７】
１６はペン入力型の可搬型のモバイル・コンピュータであり、本発明の一実施の形態による自動車の船積み集計装置である。このモバイル・コンピュータ１６は所定の大きさの画面サイズ、例えば８００ｘ６００、のコンピュータ画面を有し、その画面上からペン１７によりモバイル・コンピュータ１６へ入力できる機能を有する。また、モバイル・コンピュータ１６は本発明に必要なデータ及びプログラムを記憶する図示しない記憶装置を内蔵している。図１においては、モバイル・コンピュータ１６を２台のみ図示するが、実際にはその数はもっと多くても良い。自動車運搬船２２に自動車を船積みする際、検数作業を行なう一人又は複数の係員が自動車運搬船２２の自動車を船積みするデッキ２４において、このペン入力型モバイル・コンピュータ１６をそれぞれ携帯して待機し、ペン１７によりモバイル・コンピュータ１６のコンピュータ画面上に船積みされる自動車のデータとデッキ情報を入力する。このモバイル・コンピュータ１６はさらに、タリー室２３のコンピュータ１３とデータの受渡しを行なうため、ＰＣＭＣＩＡカード型のフラッシュメモリー・カード、携帯電話機又は無線送受信器等のデータ交換器１８を有する。このデータ交換器１８により、モバイル・コンピュータ１６はコンピュータ１３からサーバー１１内のデータベースのデータ若しくはコンピュータ１３自身のその他のデータを受け取り、さらに係員がデッキ２４でモバイル・コンピュータ１６内に入力したデータをタリー室２３内のコンピュータ１３へ送ることができる。このモバイル・コンピュータ１６は、環境の厳しい船倉内に携帯して使用されるために、小型で軽量で且つ長時間のバッテリー駆動ができ、防塵、防水対策が施されている必要がある。
【００１８】
次に、図２のフローチャートを参照して、本発明の１つの実施の形態による自動車の船積み集計方法の全体の流れを説明する。まず、ステップＳ１において、予め自動車の基本情報、例えば、メーカー名、車種を表すモデル等、をクライアント・コンピュータ１２からサーバー・コンピュータ１１のデータベースに入力する。図３は、このステップＳ１において自動車の基本情報をデータベースへ入力するためのコンピュータ画面３０を示す。メーカー名３１、検数用コード３２、ブランド３３、モデル（種類）番号３４、重量３５、全長（Ｌｅｎｇｔｈ）３６、全幅（Ｗｉｄｔｈ）３７、全高（Ｈｅｉｇｈｔ）３８、容積（但し、容積は前の３つの量から自動的に計算してもよい）３９を入力する。そしてこの基本情報の新規登録、更新、削除、等のデータ操作を画面３０の下の新規登録、更新、削除等のボタンをクリックすることにより行なう。
【００１９】
図２のフローチャートに戻り、ステップＳ２において、サーバー・コンピュータ１１のデータベースに自動車運搬船の基本情報、例えば、自動車を船積みするデッキの平面図、デッキ区画、及び自動車を船に積込み及び積出しする出入り口のハッチの情報、を入力する。デッキの各層には運搬船の最下層（船底）から上層に向けて順次に番号が付けられる。なお、ハッチはデッキ各層の特定のデッキ区画へ自動車を出入りするための船の出入り口であり、ハッチ番号が順番に付けられていて、デッキ各層のデッキ区画と関連付けられている。
【００２０】
図４及び図５は、ステップＳ２において入力された運搬船の情報をサーバー・コンピュータ１１のデータベースからコンピュータ１３又はモバイル・コンピュータ１６に移して、それらのコンピュータ画面上で表示した例である。図４は、特定の運搬船名４１の全デッキ層の平面図が表示されるモードを表示するコンピュータ画面４０であり、船底から７番目のデッキの平面図の一部と、８乃至１２番目のデッキの平面図がある縮尺で表示されている。図４に示すように、デッキの平面図は複数のデッキ区画に分割されていて、特定のデッキ区画にはそれに自動車を積込み及び積出しするための船の特定の出入り口のハッチ（図示しない）が割当てられていて、原則としてその特定ハッチからのみその区画には自動車を出し入れすることができる。図５はその内の特定のデッキ（例えば、１２番目）の特定の区画（例えば、４番目）の平面図を相対的に大きな別の縮尺比率で表示したコンピュータ画面５０を示す。
【００２１】
再び、図２のフローチャートに戻り、ステップＳ３において、船積み前にシッピング・オーダーに基づき、船積みされる自動車の情報をサーバー・コンピュータ１１に図６乃至図８に示すように入力する。すなわち、図６のコンピュータ画面６０に示すようにシッピング・オーダー番号（ＳＯ  Ｎｏ．）６１、船名６２、積港６３、揚港（仕向地）６４、メーカー名６５及び船積みされるべき品名（自動車の情報）６６、個数６７及び重量６８等を入力する。
【００２２】
次に、図７のコンピュータ画面７０に示すように船積みされる自動車の各々にはケース番号（Ｃａｒ  Ｎｏ．（又は、Ｃａｒ番号））７１が割り振られて、その自動車の車体番号（ＶＩＮ  Ｎｏ．）７２、エンジン番号（Ｅｎｇｉｎｅ  Ｎｏ．）７３、モデル番号７４、その他の情報と関連付けられる。
【００２３】
船積みされる自動車は、そのモデル情報に基づいて図８のコンピュータ画面８０に示すように、サーバー・コンピュータ１１のデータベースに予め入力された自動車の情報を受け取りその情報に基づいて、船積みされる各自動車のモデル番号８１、台数８２、単体重量８３、単体容積８４、全長８５、全幅８６、全高８７を得てケース番号（Ｃａｒ番号）７１（図７）と関連付ける。
なお、ステップＳ１の自動車情報の入力は自動車会社等で行ない、インターネット２１を介してサーバー・コンピュータ１１のデータベースへ転送し、ステップＳ２の運搬船の情報の入力及びステップＳ３のシッピング・オーダーの入力の一部乃至全部は船会社で行ない、インターネット２１を介してサーバー・コンピュータ１１のデータベースに転送するようにしても良い。
【００２４】
次に、船積み作業を開始する前にタリー室２３のコンピュータ１３において図９のコンピュータ画面９０に示すように、運搬船の船名９１や仕向地９２（例えば、寄港順に上から順に表示する）と積港９３（例えば、寄港順に上から順に表示する）等の情報を入力して、携帯電話器１４を介してコンピュータ１１のデータベースから該当の運搬船のデッキの平面図等の情報（図４及び図５に示す情報）を受け取る。同様に、シッピング・オーダーに基づいて船積みされる自動車の入力された情報のコピーが、サーバー・コンピュータ１１からコンピュータ１３へ携帯電話器１４を介して転送される。なお、運搬船が既に自動車を前の寄港地で積込んでいる場合は、前港データを元に作成するボタン９４を押して、前港２０からのデータをサーバー１１から取り寄せて、前港のデータを元にさらに自動車を積込むことになる。この運搬船の情報のコピーが、コンピュータ１３からモバイル・コンピュータ１６へデータ交換器１８を介して送られる。また、コンピュータ１３は同様に、シッピング・オーダーに基づいて船積みされる自動車の情報（図６乃至図８に示す情報）のコピーを同様にデータ交換器１８を介してモバイル・コンピュータ１６へ送る。
【００２５】
再び、図２のフローチャートに戻り、ステップＳ４において、船積みの際、特定のデッキの区画に特定のハッチから船積みされる自動車を、そのデッキ区画において係員が携帯するモバイル・コンピュータ１６内に当該自動車のケース番号（Ｃａｒ番号）７１を入力する。
【００２６】
図１０のコンピュータ画面１００に示すように、モバイル・コンピュータ１６は、船積みされるデッキの区画をその画面上にある縮尺で表示する。例えば、図１０においては１２番目のデッキの第４区画が示されている。船積みされる自動車の平面積（全長ｘ全幅）を画面１００に表示されたデッキの区画の縮小比率と大略同じ縮尺で表示したマーク１０１、例えば、大サイズ、中サイズ、及び小サイズの三つのサイズのマークを用意して、最適のサイズの１つをボタンＬ、Ｍ、Ｓをペン１７で押すことにより選択して、モバイル・コンピュータ１６の画面１００上に表示するようにしてもよい。さらに、後述するように入力された各自動車のケース番号（Ｃａｒ番号）に基づいて車のサイズのデータをモバイル・コンピュータ１６が図示しない記憶手段から取り出して、マーク１０１のサイズを画面１００の縮尺に合わせて自動的に調節するようにしてもよい。図１０にはまた各自動車のケース番号（Ｃａｒ番号）７１がペン１７で画面上に入力されて対応する自動車のマーク１０１上に数字として表示されるようになっている。マーク１０１はさらに、デッキに固定された自動車の前端方向を示す尖った先端を有する。
【００２７】
図１１は、図１０に示すモバイル・コンピュータ１６の画面上に、船積みされた自動車のケース番号（Ｃａｒ番号）７１等をペン１７で入力するためのウインドウ画面１１０の詳細を示す。ケース番号（Ｃａｒ番号）７１を図１１の下に示す数字又はアルフアベットの画面１１５をペン１７でタッチして入力して、作成ボタン１１１をペン１７でタッチすると、そのケース番号７１を上に表示したマーク１０１（図１０）を画面１００（図１０）上に表示することができる。この時、モバイル・コンピュータ１６は、入力された自動車のケース番号（Ｃａｒ番号）７１から、それに関連したモデル情報及びその大きさの情報１１４を自動的に図示しない記憶手段から取り出して表示する。そして、モバイル・コンピュータ１６は、表示されるマーク１０１（図１０）の大きさを、画面１００（図１０）の縮尺に自動的に合わせて表示する。自動車の前端方向を示すマーク１０１の先端の方向は回転（⊂）印ボタン１１２ｃをペン１７で押すことにより所定角度単位（例えば、４５度）で所定方向に回転変更できる。そのマーク１０１をペン１７で画面１００（図１０）上の船積みされたデッキの位置に対応する個所までドラッグして、登録ボタン１１３をペン１７で押すことにより、船積み自動車として登録することができる。すると、モバイル・コンピュータ１６は、登録された自動車のケース番号（Ｃａｒ番号）７１と、自動車が積み付けされたデッキ番号、デッキ区画、デッキ区画内の特定位置、ハッチ番号などの積み付け情報を関連付けて、モバイル・コンピュータ１６内の図示しない記憶装置に記憶する。
【００２８】
なお、運搬船においては予め所定順序で自動車をデッキの所定位置に所定向きで船積みすることが決まっていることがある。その場合はその所定の順序によりマーク１０１を順次にモバイル・コンピュータ１６の画面１００上に簡単に表示して入力できる。また、そうでない場合も、１つでも船積みされて既にモバイル・コンピュータ１６に入力された自動車のマーク１０１が画面１００（図１０）上にあれば、その最近に入力されたマーク１０１の位置を基準にしてその位置の上、下、左、又は右の隣の位置に自動車のマーク１０１を順次にモバイル・コンピュータ１６の画面１００上に簡単に表示して入力することができる。
すなわち、不等号（＞）印ボタン１１２ｂをペン１７を押す度に、モバイル・コンピュータ１６はプログラムに記憶された所定の順序で又は最近に入力されたマーク１０１に対してその不等号の先端で示される直ぐ隣の位置に、デフォルトでＭサイズのマーク１０１を作成して画面１００（図１０）上に表示するようにしてもよい。例えば、下向きの不等号印ボタン１１２ｄをペン１７で押せば、直前に入力されたマーク１０１の直ぐ下隣の画面１００上にデフォルトでＭサイズのマーク１０１が入力される。その後、上記したようにケース番号（Ｃａｒ番号）７１を入力すると、上記したようにモバイル・コンピュータ１６は画面１００の縮尺に自動車のサイズ１１４を自動的に調整したマーク１０１の大きさを表示する。矢印（→）ボタン１１２ａを、ペン１７で押すと、モバイル・コンピュータ１６は画面１００上のマーク１０１の列を矢印ボタン１１２ａの先端で示される方向のマーク端を揃える。例えば、右向き矢印のボタン１１２ａを押せば、画面１００上のマーク１０１の列の右端が自動的に揃えられて表示されるようにしてもよい。さらに、図１１の画面１１０上に微調整ボタン１１６を設けてそれをペン１７で押した後、ペン１７でマーク１０１を選択し、そして不等号ボタン１１２ｂの選ばれた１つを押すと、所定の微小量単位で、画面１００上をその不等号ボタン１１２ｂにより示される方向に選択されたマーク１０１のみ移動するようにしてもよい。
【００２９】
上記のようにケース番号７１が割振られた各自動車には、ステップＳ３及び図６乃至図８で説明したように、対応した仕向地及びモデルが関連付けられていて、モバイル・コンピュータ１６の図示しない記憶装置内に記憶されている。しかし、モバイル・コンピュータ１６は図１１のウインドウ画面１１０において、各自動車の仕向地及びモデルを、入力、修正又は変更入力も可能である。
このようにして、自動車等の船積みされた貨物がどのデッキのどの区画のどの位置に積み付けたかという積み付け情報が、係員により現場でモバイル・コンピュータ１６を使用して入力される。
【００３０】
図１２は、上述の様にモバイル・コンピュータ１６の画面上で入力された自動車の情報を、ステップＳ３（図６乃至図８）で入力された情報と関連付けることにより、特定のデッキ（例えば、１２番目）１２５の特定の区画１２６に積み込まれた自動車を、そのケース番号（Ｃａｒ番号）７１が上に表示されたマーク１０１でもって、仕向地１２１毎に分類して（例えば、マーク１０１を異なる色で表示しても良い）、モデル（種類）１２２毎に分類した台数と総数１２３とをそれぞれ図中右側のウインドウに表示したモバイル・コンピュータ１６の画面１２４の様子を示す。
このようにして、積み付けた自動車を仕向地（陸揚港）ごと、又は積港ごとにグループ化して、分類・表示することができる。
原則としてデッキの特定の区画には、特定のハッチ番号のハッチ（図示しない）からしか自動車を出入れしないので、特定のデッキ区画１２６に積込まれた自動車のケース番号７１は、コンピュータ１６によりそのハッチ番号と対応付けられる。
図１２に示すようにデッキに満載された自動車は、陸揚地で船から積み下ろす際に所定の順序で出車しないと積み下ろし作業ができないので、出車する順番を決めて表示する必要がある。モバイル・コンピュータ１６は、画面１２４上の自動車のマーク１０１上に積み下ろしの際の所定の出車の順番を、ケース番号７１と共に表示するようにしても良い。
この図１２に示される情報は、後で説明するようにモバイル・コンピュータ１６からデータをコンピュータ１３に送り集計した後、プリンタ１５で印刷することもできる。
【００３１】
再び、図２のフローチャートに戻り、ステップＳ５において、上記したステップＳ４でそれぞれのハッチから積み込まれた自動車を各係員がデッキ２４においてモバイル・コンピュータ１６に入力したデータを、データ交換器１８を介して船２２のタリー室２３に置かれたコンピュータ１３に送る。コンピュータ１３は各モバイル・コンピュータ１６からの入力データを分類して集計する。
【００３２】
図１３に示すようにコンピュータ１３は、仕向地１３０毎に各デッキ番号（例えば、１乃至１２番）１３１に積み込まれた自動車の台数１３２と総重量１３３をそれぞれ集計して表示して、プリンタ１５で印刷することができる。なお、図１３中に表示される集計数字は単なる例示のための数字であり、実際の数ではない。
【００３３】
また、図１４に示すようにコンピュータ１３は、仕向地１４０毎に各ハッチ番号（例えば、１乃至５番）１４１に積み込まれた自動車の台数１４２と総重量１４３をそれぞれ集計して表示し、プリンタ１５で印刷することもできる。なお、図１４中に表示される集計数字は単なる例示のための数字であり、実際の数ではない。
このように、デッキ毎又はハッチ毎に各仕向地に対応した積込み自動車の台数及び重量を分類し、集計して表示することが迅速且つ正確にできて、検数作業の情報化及び効率化を行なうことができるのである。
このようにしてコンピュータ１３により集計されたデータは、印刷されるほか、携帯電話器１４を介して、サーバー・コンピュータ１１へ転送されて、シッピング・オーダーの情報（例えば、図７）と比較されて、積み込みが完了した自動車はその旨を表示するか、又は図７から対応する自動車の情報を消し込みして積み残しの自動車のみが図７と同様な画面に表示されるようにし、積み込みの進行状態を把握できるようにする。そして、次に他の港２０で積込み作業が行なわれる場合には、インターネット２１等のネットワークを介してこの港での積み付け情報をサーバー・コンピュータ１１から転送することができる。
【００３４】
なお、上述した本発明の実施の形態では、有線又は無線のネットワーク２１を介して複数のコンピュータ間で必要なデータ又はプログラムを送受信する分散処理対応型にして、複数の港１０及び２０で同一の運搬船２２に自動車をそれぞれ積み込む場合にも対応できるようにしている。しかし、当業者には明らかなように、本発明は単独のモバイル・コンピュータで、データ入力や印刷出力やデータ転送も含む全ての処理をするものにも変更できる。さらに当業者には容易に理解されるように、上述した添付図面の表示内容は本発明の単なる例示的な説明の目的のためのものにすぎず、従って、図面中の数値や自動車のモデル等の内容や入力項目は実際の表示というよりは、単なる例示にすぎない。本発明は、実施においては上述の説明及び添付図面に表示される内容に様々な変更や修正ができることは言うまでもない。例えば、上述の実施の形態は自動車の船積みに関して説明したが、本発明は自動車の船積みに限ることなく、自動車の部品やその他の貨物一般の船積みにも応用できることは容易に理解できるであろう。また、上述した本発明の実施の形態では、添付図面の表示はマイクロソフト社のエクセル（商標）をベースにして作成した例を説明したが、これに限らず、さまざまな表計算ソフトでも本発明は実施できることはいうまでもない。
【図面の簡単な説明】
【図１】本発明の１つの実施の形態による自動車の船積み集計装置が使用されるシステム全体の概略図。
【図２】本発明の１つの実施の形態の自動車の船積みの集計方法の全体の流れを概略的に示すフロー・チャート。
【図３】本発明の１つの実施の形態により、予め自動車の基本情報をデータベースへ入力するコンピュータの画面を示す図。
【図４】本発明の１つの実施の形態により、予めデータベースへ入力された自動車運搬船の船積みデッキの平面図を所定の縮尺で示すコンピュータ画面の図。
【図５】本発明の１つの実施の形態により、予めデータベースへ入力された自動車運搬船の船積みデッキの一区画の平面図をある縮尺で示すコンピュータ画面の図。
【図６】本発明の１つの実施の形態による自動車の船積みのためのシッピング・オーダーのコンピュータ画面上の表示を示す図。
【図７】本発明の１つの実施の形態による船積みされる自動車のケース番号、車体番号、エンジン番号、モデル等を詳細に表示するコンピュータ画面を示す図。
【図８】本発明の１つの実施の形態による船積みされる自動車のモデル、台数、重量、全長、全幅、全高等を詳細に表示するコンピュータ画面を示す図。
【図９】本発明の１つの実施の形態による船積みに使用する自動車運搬船、仕向地、積港等を選択するコンピュータ画面を示す図。
【図１０】本発明の１つの実施の形態による船積みされた自動車をコンピュータ入力する態様を示す、自動車運搬船のデッキの一区画の平面図とその個所に船積みされた自動車のマークと自動車のケース番号を示すコンピュータ画面の図。
【図１１】本発明の１つの実施の形態による船積みされた自動車をコンピュータ入力する画面を示す図。
【図１２】本発明の１つの実施の形態による船積みされた自動車を、自動車運搬船のデッキに船積みされた自動車のマークで表示して、仕向地毎、モデル毎に台数を示すコンピュータ画面の図。
【図１３】本発明の１つの実施の形態による船積みされた自動車を、仕向地毎に分類してデッキ毎に示すコンピュータ画面の図。
【図１４】本発明の１つの実施の形態による船積みされた自動車を、仕向地毎に分類してハッチ毎に示すコンピュータ画面の図。
【符号の説明】
１０    積港事務所
１１    サーバー・コンピュータ
１２    クライアント・コンピュータ
１３    ノートブック型コンピュータ
１４    携帯電話器
１５    プリンタ
１６    ペン入力型モバイル・コンピュータ
１７    ペン
１８    データ交換器
２０    他積港事務所
２１    インターネット
２２    自動車運搬船
２３    タリー室
２４    デッキ
【図１】
0003735269.tif 000002
【図２】
0003735269.tif 000003
【図３】
0003735269.tif 000004
【図４】
0003735269.tif 000005
【図５】
0003735269.tif 000006
【図６】
0003735269.tif 000007
【図７】
0003735269.tif 000008
【図８】
0003735269.tif 000009
【図９】
0003735269.tif 000010
【図１０】
0003735269.tif 000011
【図１１】
0003735269.tif 000012
【図１２】
0003735269.tif 000013
【図１３】
0003735269.tif 000014
【図１４】
0003735269.tif 000015